(57)【特許請求の範囲】
【請求項１】
ケースと、
前記ケースに設けられる電極端子と、
前記ケースに収容される電極組立体と、
前記電極端子と前記電極組立体とを接続する通電経路を、前記ケース内の圧力が所定値を超えるときに遮断する電流遮断装置とを備える蓄電装置であって、
前記電極端子と電気的に接続された第１通電部材と、
前記第１通電部材と対向して配置され、前記電極組立体と電気的に接続された第２通電部材と、
前記第１通電部材と前記第２通電部材とを保持する絶縁性のカバーと、
少なくとも前記ケースの端子設置面と前記電極端子と前記カバーによって囲まれた空間内に配置された絶縁性の第１シール部材と、を備え、
前記第１通電部材と前記第２通電部材は、前記ケース内の圧力が所定値以下の時は互いに通電して通電経路の一部を形成する一方、ケース内の圧力が所定値を超えると互いに離間して通電経路を遮断し、
前記電極端子は、前記ケースの外側に突出する小径部と、前記ケースの内側に収容される大径部とを有し、
前記カバーは、樹脂を材料として前記電極端子の大径部に対してインサート成形されて前記電極端子の前記大径部と一体化しており、前記カバーと前記電極端子の前記大径部との間に電解液が侵入することを防止するように前記電極端子の前記大径部に密着しており、前記電極端子の前記大径部の上面に沿った形状を有する上端部を有する、電流遮断装置。
【請求項２】
前記カバーは、前記ケースの端子設置面の下面と離間するとともに前記電極端子の前記大径部の上面に沿って前記上端部から前記電極端子の前記小径部に向かって突出する突出部とを有し、
前記第１シール部材は、前記ケースの端子設置面の下面と、前記カバーの前記突出部に接して、それぞれの接点を封止する、請求項１に記載の電流遮断装置。
【発明の詳細な説明】
【技術分野】
【０００１】
本明細書は、電流遮断装置を備えた蓄電装置に関する技術を開示する。
【背景技術】
【０００２】
蓄電装置には、蓄電装置が過充電され、あるいは、内部で短絡が発生したときに、ケース内の電極組立体とケースに設けられた電極端子とを接続する通電経路を遮断する電流遮断装置が備えられることがある。特許文献１は、正極端子側に電流遮断装置を備える蓄電装置が記載されている。正極側の接続端子の筒部は、ガスケット、封口板、絶縁板、封口板タブにそれぞれ形成された穴内に挿入され、カシメられて固定されている。電流遮断装置は、封口板タブの下端に溶接された反転板と、反転板の下面の中央部にレーザ溶接された集電体とを備えている。反転板は、集電体のレーザ溶接個所の周囲の部分には、環状の溝が形成されており、厚さが薄くなっている。外装缶内の圧力が増加して所定値を超えると、反転板が反転して集電体が環状の溝の部分で破断する。これによって、反転板と集電体とが分離して、互いの電気的接続が遮断される。
【先行技術文献】
【特許文献】
【０００３】
【特許文献１】特開２０１２−２１２０３４号公報
【発明の概要】
【発明が解決しようとする課題】
【０００４】
この種の蓄電装置では、電流遮断装置の反転板と集電体とが分離したときに、電極端子とケースとの間に大きな電圧が印加されることがある。かかる場合、電極端子とケースとの間に電解液が存在すると、その電解液から導電性異物が生成して液絡し、再導通することがある。本明細書では、蓄電装置において、電流遮断時の電極端子とケースとの導通を防止可能な技術を提供する。
【課題を解決するための手段】
【０００５】
本明細書が開示する蓄電装置は、ケースと、ケースに設けられる電極端子と、ケースに収容される電極組立体と、電極端子と電極組立体とを接続する通電経路を、ケース内の圧力が所定値を超えるときに遮断する電流遮断装置とを備える。この蓄電装置では、電極端子と電気的に接続された第１通電部材と、第１通電部材と対向して配置され、電極組立体と電気的に接続された第２通電部材と、第１通電部材と第２通電部材とを保持する絶縁性のカバーと、ケースの端子設置面と電極端子とカバーによって囲まれた空間内に配置された絶縁性の第１シール部材と、を備える。第１通電部材と第２通電部材は、ケース内の圧力が所定値以下の時は互いに通電して通電経路の一部を形成する一方、ケース内の圧力が所定値を超えると互いに離間して通電経路を遮断する。電極端子は、ケースの外側に突出する小径部と、ケースの内側に収容される大径部とを有している。カバーは、電極端子の大径部をインサートとして樹脂をインサート成形することによって形成され、電極端子の大径部の上面に沿った形状を有する上端部を有する。
【０００６】
上記の蓄電装置では、カバーは、電極端子の大径部をインサートとして樹脂をインサート成形することによって形成され、電極端子の大径部の上面に沿った形状を有する上端部を有している。カバーは、大径部に密着して一体化されているため、カバーと大径部との間の隙間を電解液が侵入することを防止できる。このため、ケースの電極組立体側からの電解液が、カバーと大径部との間を通過して、電解液が、ケースの端子設置面と電極端子との間の空間に侵入することを防止できる。このため、電流遮断時に電極端子とケースとの間に大きな電圧が印加された場合に、電極端子とケースとが液洛することを防止できる。
【０００７】
上記の蓄電装置では、カバーは、ケースの端子設置面の下面と離間するとともに電極端子の大径部の上面に沿って上端部から電極端子の小径部に向かって突出する突出部とを有していてもよい。この場合、第１シール部材は、ケースの端子設置面の下面と、カバーの突出部に接して、それぞれの接点を封止していてもよい。
【図面の簡単な説明】
【０００８】
【図１】蓄電装置の断面図。
【図２】図１の負極端子および電流遮断装置の近傍を拡大して示す図。
【発明を実施するための形態】
【０００９】
（実施例）
以下、第１実施例の蓄電装置１００について説明する。蓄電装置１００は、二次電池の一種であるリチウムイオン二次電池である。図１に示すように、蓄電装置１００は、ケース４と、電極組立体２と、電極端子としての負極端子３０及び正極端子１０と、電流遮断装置７０を備えている。ケース４は、金属製であり、略直方体形状である。ケース４の内部には、電極組立体２と電流遮断装置７０が収容されている。また、ケース４の内部には、電解液が収容されている。ケース４の上蓋４ａに、負極端子３０と正極端子１０が設置されている。ケース４の上蓋４ａには、その長手方向（図１のｘ方向）に対向する位置に、貫通孔４ｂ，４ｃが形成されている。負極端子３０が貫通孔４ｂを通過しており、正極端子１０が貫通孔４ｃを通過している。貫通孔４ｂには、絶縁性のガスケット４０が取り付けられている。貫通孔４ｃには、絶縁性のガスケット２０が取り付けられている。上蓋４ａは、ケース４の端子設置面の一例である。
【００１０】
負極端子３０は、リベットボルト３２と、ナット３４とを備えている。負極端子は、負極端子３０と負極配線との結線に用いられる外部ナット（図示省略）をさらに備えていてもよい。リベットボルト３２は、ケース４の貫通孔４ｂを通過してケース４の外側に突出する小径部３２ｂと、ケース４の内側に収容される大径部３２ａとを有している。ガスケット４０は、ｚ軸に沿って平面視すると環状であるとともに、その内縁が下方（ｚ軸の負方向）に伸びている。ガスケット４０は、ケース４の上蓋４ａの上方（ｚ軸の正方向）から下方（ｚ軸の負方向）に向かって、貫通孔４ｂに挿しこまれ、下方に伸びる内縁が貫通孔４ｂに係合する。小径部３２ｂの外径は、ガスケット４０の孔径および貫通孔４ｂの孔径より小さく、大径部３２ｂの外径は、ガスケット４０の孔径および貫通孔４ｂの孔径より大きい。リベットボルト３２は、ケース４の上蓋４ａの下方から上方に向かって、ガスケット４０および貫通孔４ｂに小径部３２ｂが挿しこまれ、大径部３２ａが上蓋４ａの下面に係合した状態でケース４の内側に配置されている。
【００１１】
リベットボルト３２は、電流遮断装置７０及び接続部材７２を介して負極リード４４に電気的に接続されている。負極リード４４は、負極端子３０に対してケース４のｘ方向の中央側に配置されている。ケース４の上蓋４ａと負極リード４４との間に、ｘ方向に伸びる板状の絶縁部材４２が配置されており、負極リード４４は、絶縁部材４２によってケース４から絶縁されている。負極端子３０は、電流遮断装置７０、接続部材７２及び負極リード４４を介して、電極組立体２の負極電極と通電している。電流遮断装置７０については後述する。
【００１２】
正極端子１０は、リベットボルト１２と、ナット１４を備えている。正極端子１０は、正極端子１０と正極配線との結線に用いられる外部ナット（図示省略）をさらに備えていてもよい。
【００１３】
リベットボルト１２は、ケース４の貫通孔４ｃを通過してケース４の外側に突出する小径部と、ケース４の内側に収容される大径部とを有している。ガスケット２０は、ｚ軸に沿って平面視すると環状であるとともに、その内縁が下方（ｚ軸の負方向）に伸びている。ガスケット２０は、ケース４の上蓋４ａの上方（ｚ軸の正方向）から下方（ｚ軸の負方向）に向かって、貫通孔４ｃに挿しこまれ、下方に伸びる内縁が貫通孔４ｃに係合する。リベットボルト１２の小径部の外径は、ガスケット２０の孔径および貫通孔４ｃの孔径より小さく、大径部の外径は、ガスケット２０の孔径および貫通孔４ｃの孔径より大きい。リベットボルト１２は、ケース４の上蓋４ａの下方から上方に向かって、ガスケット２０および貫通孔４ｃに小径部が挿しこまれ、大径部が上蓋４ａの下面に係合した状態でケース４の内側に配置されている。正極リード４４は、正極端子１０に対してケース４のｘ方向の中央側に配置されている。リベットボルト１２は、接続部材を介して正極リード２４に電気的に接続されている。正極リード２４は、正極端子１０に対してケース４のｘ方向の中央側に配置されている。ケース４の上蓋４ａと正極リード２４との間に、ｘ方向に伸びる板状の絶縁部材２２が配置されており、正極リード２４は、絶縁部材２２によってケース４から絶縁されている。正極端子１０は、正極リード２４を介して、電極組立体２の正極電極と通電している。
【００１４】
（電極組立体）
電極組立体２は、電極組立体２は、正極電極と、負極電極と、正極電極と負極電極の間に介在しているセパレータを備えている。正極電極、負極電極及びセパレータの図示は省略する。負極電極は、負極集電体と、負極集電体上に形成されている負極活物質層を有する。負極電極は、その端部に負極集電タブ４６を有する。負極集電タブ４６には、負極活物質層が塗布されていない。負極集電タブ４６は、負極端子３０に対してケース４のｘ方向の中央側に配置されている。負極集電タブ４６の上部（上蓋４ａ側）は、ｙ軸の負方向に折り曲げられた状態で、負極リード４４に溶接によって固定されている。正極電極は、正極集電体と、正極集電体上に形成されている正極活物質層を有する。正極電極は、その端部に正極集電タブ２６を有する。正極集電タブ２６には、正極活物質層が塗布されていない。正極集電タブ２６は、正極端子１０に対してケース４のｘ方向の中央側に配置されている。正極集電タブ２６の上部（上蓋４ａ側）は、ｙ軸の負方向に折り曲げられた状態で、正極リード２４に溶接によって固定されている。なお、活物質層に含まれる材料（活物質、バインダ、導電助剤等）には特に制限がなく、公知の蓄電装置等の電極に用いられる材料を用いることができる。
【００１５】
ここで、正極集電体には、例えば、アルミニウム（Ａｌ）、ニッケル（Ｎｉ）、チタン（Ｔｉ）、ステンレス鋼又はそれらの複合材料もしくは合金を用いることができる。特に、アルミニウム又はアルミニウムを含む複合材料もしくは合金であることが好ましい。また、正極活物質には、リチウムイオンが侵入及び脱離可能な材料であればよく、Ｌｉ２ＭｎＯ３、Ｌｉ（ＮｉＣｏＭｎ）０．３３Ｏ２、Ｌｉ(ＮｉＭｎ)０．５Ｏ２、ＬｉＭｎ２Ｏ４、ＬｉＭｎＯ２、ＬｉＮｉＯ２、ＬｉＣｏＯ２、ＬｉＮｉ０．８Ｃｏ０．１５Ａｌ０．０５Ｏ２、Ｌｉ２ＭｎＯ２、ＬｉＭｎ２Ｏ４等を使用することができる。また、正極活物質としてリチウム、ナトリウム等のアルカリ金属、あるいは、硫黄などを用いることもできる。これらは１種単独で使用してもよいし、２種以上を併用して用いてもよい。正極活物質は、必要に応じて導電材，結着剤等とともに正極集電体に塗布される。
【００１６】
一方、負極集電体としては、アルミニウム、ニッケル、銅（Ｃｕ）等、又はそれらの複合材料もしくは合金等を使用することができる。特に、銅又は銅を含む複合材料もしくは合金であることが好ましい。また、負極活物質としては、リチウムイオンが侵入及び脱離可能な材料を用いることができる。リチウム（Ｌｉ）、ナトリウム（Ｎａ）等のアルカリ金属、アルカリ金属を含む遷移金属酸化物、天然黒鉛、メソカーボンマイクロビーズ、高配向性グラファイト、ハードカーボン、ソフトカーボン等の炭素材料、シリコン単体又はシリコン含有合金又はシリコン含有酸化物を使用することができる。負極活物質は、必要に応じて導電材，結着剤等とともに負極集電体に塗布される。
【００１７】
なお、セパレータは、絶縁性を有する多孔質を用いることができる。セパレータとしては、ポリエチレン（ＰＥ）、ポリプロピレン（ＰＰ）等のポリオレフィン系樹脂からなる多孔質フィルム、あるいは、ポリプロピレン、ポリエチレンテレフタレート（ＰＥＴ）、メチルセルロース等からなる織布または不織布を使用することができる。
【００１８】
また、電解液は、非水系の溶媒に支持塩（電解質）を溶解させた非水電解液であることが好ましい。非水系の溶媒として、エチレンカーボネート（ＥＣ）、プロピレンカーボネート（ＰＣ）、ジメチルカーボネート（ＤＭＣ）、ジエチルカーボネート（ＤＥＣ）、エチルメチルカーボネート（ＥＭＣ）等の鎖状エステルを含んでいる溶媒、酢酸エチル、プロピロン酸メチルなどの溶媒、又はこれらの混合液を使用することができる。また、支持塩（電解質）として、例えば、ＬｉＰＦ６、ＬｉＢＦ４、ＬｉＡｓＦ６等を使用することができる。
【００１９】
（電流遮断装置）
図２を参照して、電流遮断装置７０について説明する。電流遮断装置７０は、負極端子３０の下方に固定され、接続部材７２および負極リード４４を介して、負極集電タブ（負極電極）４６に接続されている。なお、電流遮断装置７０は、正極電極と正極端子１０の間に接続してもよいし、負極電極と負極端子３０の間、及び、正極電極と正極端子１０の間の双方に接続してもよい。
【００２０】
図２に示すように電流遮断装置７０は、金属製の第１反転板８４と、金属製の破断板８８と、金属製の第２反転板９０と、絶縁性を有する保護板９３と、絶縁性を有するカバー９２を備えている。なお、リベットボルト３２の大径部３２ａと第２反転板９０が「第１通電部材」の一例であり、破断板８８が「第２通電部材」の一例である。カバー９２は、保護板９３と第１反転板８４と破断板８８と第２反転板９０を支持（保持）している。すなわち、カバー９２は、保護板９３の上端部と第１反転板８４と破断板８８と第２反転板９０に対して外側より嵌め込まれ、第１反転板８４と破断板８８と第２反転板９０を積層した状態で支持している。カバー９２は、外周部９２ａと、上端部９２ｂと、突出部９２ｃとを有している。外周部９２ａは、第１反転板８４と破断板８８と第２反転板９０に対して外側に位置し、第１反転板８４と破断板８８と第２反転板９０を積層した状態で支持している。上端部９２ｂは、外周部９２ａに連結して、大径部３２ａの上面とケース４の上蓋４ａの下面の間に挟まれている。上端部９２ｂは、外周部９２ａ側から、内側（リベットボルトの小径部３２ｂ側）に伸びている。上端部９２ｂは、上蓋４ａに接触する面と、リベットボルト３２ａの大径部３２ａに接触する面とを有する。突出部９２ｃは、上蓋４ａの下面と離間しており、大径部３２ａの上面に沿って上端部９２ｂから内側に伸びている。突出部９２ｃのｚ方向の厚みは、上端部９２ｂのｚ方向の厚みよりも薄く、突出部９２ｃの上面と上蓋４ａとの間に第１シール部材８１が挟まれている。突出部９２ｃの下面の形状は、リベットボルト３２の大径部３２ａの上面の形状に適合した形状であり、突出部９２ｃの下面と大径部３２ａの上面とは密接している。カバー９２は、樹脂を材料としており、リベットボルト３２の大径部３２ａに対してインサート成形されている。このため、カバー９２の外周部９２ａの大径部３２ａ側の面は、大径部の外周面に沿った形状を有し、上端部９２ｂおよび突出部９２ｃの大径部３２ａ側の面は、大径部３２ａの上面に沿った形状を有している。さらに、カバー９２は、大径部３２ａとの接触面において大径部３２ａに密着して一体化されている。カバー９２の材料としては、電池分野で従来公知の、ポリプロピレン（ＰＰ）、ポリフェニレンサルファイド（ＰＰＳ）等の電解液と反応しない絶縁性の樹脂を好適に用いることができる。
【００２１】
カバー９２の外周面には、金属製の板材７８が取付けられている。具体的には、カバー９２が保護板９３の上端部、第１反転板８４、破断板８８、第２反転板９０、及びリベットボルト３２の大径部３２ａを上下から挟み込んだ状態で、板材７８がカバー９２の外周面にカシメられている。これにより、電流遮断装置７０がリベットボルト３２に取付けられている。別言すれば、第１反転板８４と破断板８８と第２反転板９０とリベットボルト３２の大径部３２ａがカバー９２に収容されている。なお、カバー９２及び板材７８の外周面には、周方向の一部において開口しており、この開口に接続部材７２が配置されている。これによって、カバー９２及び板材７８の内部に配置される破断板８８と負極リード４４とが接続部材７２を介して接続されている。
【００２２】
第１シール部材８１は、絶縁性であり、ケース４の上蓋４ａとリベットボルト３２の大径部３２ａとカバー９２によって囲まれた空間内に配置されている。第１シール部材８１は、上蓋４ａの下面と、カバー９２の突出部９２ｃの上面に圧接している。ガスケット４０の下端部４ａは、上蓋４ａの下面から下方に向かってテーパー加工されており、そのテーパー面において第１シール部材８１に圧接している。これによって、第１シール部材８１と上蓋４ａの下面とは、互いの接点において封止されている。また、第１シール部材８１と突出部９２ｃの上面とは、互いの接点において封止されている。なお、正極端子１０側にも、同様に、ケース４の上蓋４ａとリベットボルト１２の大径部とカバーの間に、シール部材８５が設けられている。シール部材８５と上蓋４ａの下面とは、互いの接点において封止されている。また、シール部材８５とリベットボルト１２の大径部の上面とは、互いの接点において封止されている。
【００２３】
第１反転板８４は、円形状の板材であり、破断板８８の下方に配置されている。第１反転板８４の外周縁の下面は、全周に亘ってカバー９２に支持されている。また、第１反転板８４の上面には突部８６が設けられ、突部８６は第１反転板８４の中央に位置している。突部８６は、破断板８８に向かって上方に突出している。図２に示す状態で、突部８６と破断板８８の中央部８８ｂとの間には隙間が形成されている。保護板９３の上面は、第１反転板８４の下面に接しており、下面は、ケース４内の電極組立体２側の空間に晒されている。保護板９３は、第１反転板８４の突部８６の下方に開口９３ａを有しており、これによって、第１反転板８４の中央部の下面は、ケース４内の電極組立体２側の空間に晒されている。従って、第１反転板８４の下面にはケース４内の空間の圧力が作用し、第１反転板８４の上面には、第１反転板８４と破断板８８の間の空間９４の圧力が作用する。空間９４とケース４内の空間とはシールされているため、ケース４内の空間の圧力が高くなると、第１反転板８４の上面と下面に作用する圧力は相違することとなる。
【００２４】
破断板８８は、円形状の板材であり、第１反転板８４と第２反転板９０の間に配置されている。破断板８８の外周部の一部に接続部材７２が連結しており、破断板８８と接続部材７２とは一体に形成されている。破断板８８の下面の中央には溝部８８ａが形成されている。溝部８８ａは、底面視すると円形状に形成されている。また、図２に示すように、溝部８８ａの断面形状は上方に凸となる三角形状をしている。溝部８８ａが形成されることで、溝部８８ａが形成された位置における破断板８８の機械的強度は、溝部８８ａ以外の位置における破断板８８の機械的強度よりも低くされている。破断板８８は、溝部８８ａによって、溝部８８ａで囲まれた中央部８８ｂと、溝部８８ａの外周側に位置する外周部８８ｃに区分されている。中央部８８ｂの板厚は薄く、外周部８８ｃの板厚は厚くされている。
【００２５】
第２反転板９０は、円形状の板材であり、破断板８８の上方に配置されている。第２反転板９０の中央部は、図２に示す状態では下方に凸となり、また、破断板８８の中央部８８ｂに固定されている。第２反転板９０の外周部は、リベットボルト３２の大径部３２ａの下面に溶接されており、これによって、リベットボルト３２に電気的に接続されている。したがって、負極端子３０は、第２反転板９０、破断板８８、接続部材７２及び負極リード４４を介して電極組立体２に接続されている。第２反転板９０の上面とリベットボルト３２の下面の間には空間９８が形成され、空間９８はケース４内の空間からシールされている。破断板８８とリベットボルト３２の大径部３２ａの下端の外周部との間には絶縁部材８２が配置されている。絶縁部材８２は、リング状の部材であり、大径部３２ａの外周部と破断板８８の外周部とに接触し、両者を絶縁している。
【００２６】
上述した蓄電装置１００においては、図２に示す状態では、負極端子３０と負極集電タブ４６（負極電極）が通電しており、正極端子１０と正極集電タブ２６（負極電極）が通電している。そのため、負極端子３０と正極端子１０の間が通電している。ケース４内の圧力が上昇して予め設定された所定値を超えると、破断板８８が溝部８８ａで破断し、破断板８８の外周部８８ｃと第２反転板９０の間の通電経路が遮断される。すなわち、ケース４内の圧力が上昇すると、第１反転板８４の下面に作用する圧力が上昇する。第１反転板８４の上面に作用する圧力（すなわち、空間９４の圧力）は、ケース４内の圧力上昇の影響を受けることはなく変化しない。このため、ケース４内の圧力が所定値を超えると、第１反転板８４が反転して、下方に凸な状態から上方に凸な状態に変化する。第１反転板８４が反転すると、第１反転板８４の突部８６が破断板８８の中央部８８ｂに衝突し、破断板８８が溝部８８ａで破断する。すると、第１反転板８４の変位に応じて第２反転板９０も反転し、第２反転板９０、破断板８８の中央部、及び第１反転板８４が上方に変位する。これによって、破断板８８と第２反転板を接続する通電経路が遮断され、電極組立体２と負極端子３０との間の通電が遮断される。
【００２７】
破断板８８が溝部８８ａで破断した状態となっても、負極端子３０は外部機器に接続されている。このため、負極端子３０とケース４の間に大きな電圧が印加されることがある。カバー９２は、大径部３２ａとの接触面において大径部３２ａに密着して一体化されている。このため、カバー９２と大径部３２ａとの間の隙間を電解液が侵入することを防止できる。その結果、ケース４の電極組立体２側からの電解液が、カバー９２と大径部３２ａとの間を通過して、電解液が、上蓋４ａと大径部３２ａとの間の空間に侵入することを防止できる。このため、電流遮断時に負極端子３０とケース４との間に大きな電圧が印加された場合に、負極端子３０とケース４とが液洛することを防止できる。
【００２８】
また、絶縁部材４２と板材７８との間や、カバー９２の上端部９２ｂと上蓋４ａとの間のシールが十分でない場合には、図２の矢印６７に示すように、ケース４内の電極組立体２側の電解液が、カバー９２の上端部９２ｂと上蓋４ａとの間を通過して、上端部９２ｂと第１シール部材８１との間に侵入する可能性がある。しかしながら、本実施例の電流遮断装置７０では、カバー９２は、上端部９２ｂに連結し、第１シール部材８１の下面に接触する突出部９２ｃを有している。このため、仮に、電解液が上端部９２ｂと第１シール部材８１との間に侵入した場合においても、突出部９２ｃによって、電解液とリベットボルト３２の大径部３２ａの上面とが接触することを防止できる。また、第１シール部材８１と突出部９２ａの上面とは、互いの接点において封止されているため、上端部９２ｂと第１シール部材８１との間に侵入した電解液が、さらに内側の空間（リベットボルト３２の小径部３２ｂと、ガスケット４０の下端部４０ａと、第１シール部材８１との間の空間）に侵入することも防止できる。このため、リベットボルト３２とケース４との間に大きな電圧が印加されても、上端部９２ｂと第１シール部材８１との間に侵入した電解液から導電性異物が生成することが抑制される。その結果、リベットボルト３２とケース４とが液洛し、リベットボルト３２と破断板８８とが再び通電することを抑制することができる。
【００２９】
なお、上述した実施例で設けられる第１シール部材８１の断面形状は図示にあるような略真円形状には限らない。例えば楕円形状や多角形状であってもよい。また、上述した実施例では、接続部材７２と破断板８８が一体で形成されていたが、接続部材７２と破断板８８が別部材で備えられていてもよい。
【００３０】
また、上述した実施例は、２枚の反転板８４，９６を備えた電流遮断装置７０であったが、電流遮断装置の構成はこのような例に限られない。例えば、電流遮断装置は、１枚の反転板と破断板により構成してもよい。すなわち、図２に示す電流遮断装置と同様に、破断板と反転板（第２反転板に相当）とを備え、反転板にケース内の圧力が作用するように構成する。この電流遮断装置では、反転板の下面にケース内の内圧が作用し、反転板の上面と下面に作用する圧力の差圧が所定値を超えると、反転板が反転して破断板が破断する。このような電流遮断装置においても、図１に示す実施例と同様に破断板の外周部と反転板の外周部（リベットボルトの外周部）との間にシール部材を配置することで、反転板と破断板の液絡を防止することができる。
【００３１】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。例えば、第１反転板、及び第２反転板は、それぞれ、圧力を受けて変形するものであればよく、「反転」する構造のものに限られない。また、本明細書または図面に説明した技術要素は、単独であるいは各種の組合せによって技術的有用性を発揮するものであり、出願時の請求項に記載の組合せに限定されるものではない。また、本明細書または図面に例示した技術は複数の目的を同時に達成し得るものであり、そのうちの一つの目的を達成すること自体で技術的有用性を持つものである。
【符号の説明】
【００３２】
２：電極組立体
４：ケース
４ａ：上蓋
１０：正極端子
２０，４０：ガスケット
２０、２２：絶縁部材
２４：正極リード
２６：正極集電タブ
１２、３２：リベットボルト
１４、３４：ボルト
３０：負極端子
３２ａ：大径部
３２ｂ：小径部
４０、４２：シール部材
４４：負極リード
４６：負極集電タブ
７０：電流遮断装置
７２：接続部材
７８：板材
８４：第１反転板
８８：破断板
８１：第１シール部材
８２：絶縁部材
８６：突部
９０：第２反転板
９２：カバー
９２ａ：外周部
９２ｂ：上端部
９２ｃ：突出部
９３：保護板
１００：蓄電装置
【図１】
0006446966.tif 000002
【図２】
0006446966.tif 000003